(57)【要約】  ファイバ増幅システムは、増幅チェーン内に複数の光学部品を含む。光学部品は、シード・ビームに応答し、シード・ビームに周波数変調（ＦＭ）−振幅変調（ＡＭ）変換を発生させ、伝達関数を有する不均一スペクトル透過を生じさせる。光学部品の１つは、増幅出力ビームを生成するファイバ増幅器である。プログラマブル・スペクトル・フィルタは、伝達関数の逆を適用することによって正味均一伝達関数を形成し、増幅チェーンの終端においてシード・ビームの正味スペクトル透過プロファイルを等化することによって、振幅変調を低減するために、シード・ビームを予歪させるように制御される。【選択図】図７
2021520076.tif 000002
【特許請求の範囲】
【請求項１】
ファイバ増幅システムであって、
少なくとも１つの光シード・ビームを供給する少なくとも１つの光源と、
増幅チェーン内にあり前記シード・ビームに応答する複数の光学部品であって、前記光学部品の１つが、前記シード・ビームに応答し、増幅出力ビームを生成する少なくとも１つのファイバ増幅器であり、前記光学部品の１つ以上が、前記シード・ビームに周波数変調（ＦＭ）−振幅変調（ＡＭ）変換を発生させ、伝達関数を有する前記シード・ビームの不均一スペクトル透過を生ずる振幅変調を発生させる、複数の光学部品と、
前記増幅チェーン内に設けられ、前記伝達関数の逆を適用することによって正味均一伝達関数を形成し、前記増幅チェーンの終端において前記シード・ビームの正味スペクトル透過プロファイルを等化することによって、前記振幅変調を低減するために、前記シード・ビームを予歪させるように動作可能なプログラマブル・スペクトル・フィルタと、
前記増幅出力ビームに応答して、サンプル・ビームを供給するビーム・サンプラと、
前記サンプル・ビームに応答して、前記シード・ビーム上における振幅変調の量を検出する検出サブシステムであって、前記振幅変調の量を識別する制御メトリック信号を生成する、検出サブシステムと、
前記検出サブシステムからの制御メトリック信号に応答して、前記伝達関数の逆を生成するように、前記プログラマブル・スペクトル・フィルタを制御する、スペクトル・コントローラと、
を備える、ファイバ増幅システム。
【請求項２】
請求項１記載のファイバ増幅システムにおいて、前記複数の光学部品が、ポンプ・ビーム・コンバイナ、光ファイバ・スプライス、光アイソレータ、スペクトル・フィルタ、前置増幅段、１本の光ファイバ、およびモード・フィールド・アダプタから成る一群から選択される、ファイバ増幅システム。
【請求項３】
請求項１記載のファイバ増幅システムにおいて、前記検出サブシステムが、前記サンプル・ビームに応答し、前記振幅変調の量を識別する変動と、前記サンプル・ビームのパワーを識別するＤＣオフセットとを含む時変電気信号を生成する光検出器と、前記電気信号におけるＤＣオフセットを排除するハイパス・フィルタと、前記ハイパス・フィルタを通過した信号を整流する整流器と、前記整流信号にローパス・フィルタリングを施し前記制御メトリック信号を生成するローパス・フィルタとを含む、ファイバ増幅システム。
【請求項４】
請求項１記載のファイバ増幅システムにおいて、前記検出サブシステムが、前記サンプル・ビームの出力パワー・スペクトルを測定する少なくとも１つのスペクトル検出器を含み、前記スペクトル・コントローラが、前記シード・ビームが前記スペクトル・フィルタに送られる前における当該シード・ビームの入力パワー・スペクトルで前記出力パワー・スペクトル除算したものとして、前記正味伝達関数を計算し、前記スペクトル・フィルタに、前記伝達関数の逆を前記シード・ビームに適用させる、ファイバ増幅システム。
【請求項５】
請求項４記載のファイバ増幅システムにおいて、前記少なくとも１つのスペクトル検出器が、前記入力パワー・スペクトルを測定する第１スペクトル検出器と、前記出力パワー・スペクトルを測定する第２スペクトル検出器である、ファイバ増幅システム。
【請求項６】
請求項４記載のファイバ増幅システムにおいて、前記少なくとも１つのスペクトル検出器が、前記入力パワー・スペクトルおよび前記出力パワー・スペクトルの双方を測定する１つのスペクトル検出器であり、前記検出サブシステムが、更に、前記入力パワー・スペクトルおよび前記出力パワー・スペクトルに応答するスイッチを含み、前記スイッチが、前記入力および出力パワー・スペクトルを前記少なくとも１つのスペクトル検出器に交互に供給する、ファイバ増幅システム。
【請求項７】
請求項４記載のファイバ増幅システムにおいて、前記入力パワー・スペクトルが時間的に一定であり、前記スペクトル・コントローラに格納される、ファイバ増幅システム。
【請求項８】
請求項１記載のファイバ増幅システムにおいて、前記増幅チェーンにおける前記光学部品の１つが、スペクトル位相によって生ずる振幅変調を低減するスペクトル位相補償を付与する分散補償ファイバ（ＤＳＦ）である、ファイバ増幅システム。
【請求項９】
請求項１記載のファイバ増幅システムであって、更に、偏光状態（ＳＯＰ）アクチュエータと、ＳＯＰ偏光コントローラと、前記検出サブシステムに送られる前記サンプル・ビームの所定の偏光のみを許容する偏光フィルタとを備え、前記検出サブシステムが、前記サンプル・ビームにおける振幅変調の量を識別する変動を排除するローパス・フィルタを含み、前記ローパス・フィルタを通過した信号が、前記ＳＯＰ偏光コントローラに送られ、前記ＳＯＰ偏光コントローラが、前記出力ビームを所望のＳＯＰに維持するために、前記シード・ビームのＳＯＰを変化させるように前記ＳＯＰ偏光アクチュエータを制御する、ファイバ増幅システム。
【請求項１０】
請求項１記載のファイバ増幅システムにおいて、前記増幅システムが、スペクトル・ビーム結合（ＳＢＣ）を含み、前記少なくとも１つの光源が、各々異なる波長でシード・ビームを生成する複数の光源であり、前記少なくとも１つのファイバ増幅器が、各々前記シード・ビームの内１つを増幅する複数のファイバ増幅器であり、前記増幅システムが、更に、前記シード・ビームの全てを、前記プログラマブル・スペクトル・フィルタに前記シード・ビームの全てを送る共通のファイバ上に多重化するマルチプレクサと、増幅のために前記増幅器に送られる前に、前記予歪させたシード・ビームの全てを別個のファイバ上に分離するデマルチプレクサとを備え、前記増幅システムが、更に、前記増幅したファイバ・ビームを、前記ビーム・サンプラの前において、１つのビームに結合するＳＢＣ光学系を備える、ファイバ増幅システム。
【請求項１１】
請求項１記載のファイバ増幅システムにおいて、前記スペクトル・コントローラが、前記スペクトル透過のテイラー展開に関連付けられた１つ以上のパラメータを調節する多変数コントローラである、ファイバ増幅システム。
【請求項１２】
請求項１記載のファイバ増幅システムにおいて、前記スペクトル・コントローラが、サンプル周期毎に少しずつ増やしながら、前記伝達関数の逆を生成する、ファイバ増幅システム。
【請求項１３】
スペクトル・ビーム結合（ＳＢＣ）を含むファイバ増幅システムであって、
少なくとも１つの光シード・ビームを供給する少なくとも１つの光源と、
増幅チェーン内にあり前記シード・ビームに応答する複数の光学部品であって、前記光学部品の１つが、前記シード・ビームに応答し、増幅出力ビームを生成する少なくとも１つのファイバ増幅器であり、前記光学部品の１つ以上が、前記シード・ビームに周波数変調（ＦＭ）−振幅変調（ＡＭ）変換を発生させ、伝達関数を有する前記シード・ビームの不均一スペクトル透過を生ずる振幅変調を発生させる、複数の光学部品と、  
前記増幅チェーン内に設けられ、前記伝達関数の逆を適用することによって正味均一伝達関数を形成し、前記増幅チェーンの終端において前記シード・ビームの正味スペクトル透過プロファイルを等化することによって、前記振幅変調を低減するために、前記シード・ビームを予歪させるように動作可能なプログラマブル・スペクトル・フィルタと、
前記増幅出力ビームに応答して、サンプル・ビームを供給するビーム・サンプラと、
前記サンプル・ビームに応答し、スイッチと光スペクトル・アナライザとを含む検出サブシステムであって、前記スイッチが、前記シード・ビームが前記スペクトル・フィルタに送られる前における前記シード・ビームの入力パワー・スペクトルおよび前記サンプル・ビームの出力パワー・スペクトルに応答し、前記スイッチが、前記入力および出力パワー・スペクトルを前記光スペクトル・アナライザに交互に供給し、前記光スペクトル・アナライザが前記入力および出力パワー・スペクトルを測定する、検出サブシステムと、
前記スペクトル・アナライザからの測定された入力および出力パワー・スペクトルに応答し、前記入力パワー・スペクトルで前記出力パワー・スペクトルを除算したものとして、前記正味伝達関数を計算するスペクトル・コントローラであって、前記スペクトル・フィルタに、前記伝達関数の逆を前記シード・ビームに適用させる、スペクトル・コントローラと、
を備える、ファイバ増幅システム。
【請求項１４】
請求項１３記載のファイバ増幅システムにおいて、前記増幅チェーンにおける前記光学部品の１つが、スペクトル位相によって生ずる振幅変調を低減するスペクトル位相補償を付与する分散補償ファイバ（ＤＳＦ）である、ファイバ増幅システム。
【請求項１５】
請求項１３記載のファイバ増幅システムにおいて、前記少なくとも１つの光源が、各々異なる波長でシード・ビームを生成する複数の光源であり、前記少なくとも１つのファイバ増幅器が、各々前記シード・ビームの内１つを増幅する複数のファイバ増幅器であり、前記増幅システムが、更に、前記シード・ビームの全てを、前記プログラマブル・スペクトル・フィルタに前記シード・ビームの全てを送る共通のファイバ上に多重化するマルチプレクサと、増幅のために前記増幅器に送られる前に、前記予歪させたシード・ビームの全てを別個のファイバ上に分離するデマルチプレクサとを備え、前記増幅システムが、更に、前記増幅したファイバ・ビームを、前記ビーム・サンプラの前において、１つのビームに結合するＳＢＣ光学系を備える、ファイバ増幅システム。
【請求項１６】
請求項１３記載のファイバ増幅システムであって、更に、偏光状態（ＳＯＰ）アクチュエータと、ＳＯＰ偏光コントローラと、前記検出サブシステムに送られる前記サンプル・ビームの所定の偏光のみを許容する偏光フィルタとを備え、前記検出サブシステムが、前記サンプル・ビームにおける振幅変調の量を識別する変動を排除するローパス・フィルタを含み、前記ローパス・フィルタを通過した信号が、前記ＳＯＰ偏光コントローラに送られ、前記ＳＯＰ偏光コントローラが、前記出力ビームを所望のＳＯＰに維持するために、前記シード・ビームのＳＯＰを変化させるように前記ＳＯＰ偏光アクチュエータを制御する、ファイバ増幅システム。
【請求項１７】
スペクトル・ビーム結合（ＳＢＣ）を含むファイバ増幅システムであって、
少なくとも１つの光シード・ビームを供給する少なくとも１つの光源と、
増幅チェーン内にあり前記シード・ビームに応答する複数の光学部品であって、前記光学部品の１つが、前記シード・ビームに応答し、増幅出力ビームを生成する少なくとも１つのファイバ増幅器であり、前記光学部品の１つ以上が、前記シード・ビームに周波数変調（ＦＭ）−振幅変調（ＡＭ）変換を発生させ、伝達関数を有する前記シード・ビームの不均一スペクトル透過を生ずる振幅変調を発生させる、複数の光学部品と、
前記増幅チェーン内に設けられ、前記伝達関数の逆を適用することによって約１の正味均一伝達関数を形成し、前記増幅チェーンの終端において前記シード・ビームの正味スペクトル透過プロファイルを等化することによって、前記振幅変調を低減するために、前記シード・ビームを予歪させるように動作可能なプログラマブル・スペクトル・フィルタと、
前記増幅出力ビームに応答して、サンプル・ビームを供給するビーム・サンプラと、
前記サンプル・ビームに応答し、前記シード・ビーム上における前記振幅変調の量を検出する検出サブシステムであって、前記サンプル・ビームに応答し、前記振幅変調の量を識別する変動と、前記サンプル・ビームのパワーを識別するＤＣオフセットとを含む時変電気信号を生成する光検出器と、前記電気信号におけるＤＣオフセットを排除するハイパス・フィルタと、前記ハイパス・フィルタを通過した信号を整流する整流器と、前記整流信号にローパス・フィルタリングを行い、前記振幅変調の量を識別する制御メトリック信号を生成するローパス・フィルタとを含む、検出サブシステムと、
前記検出サブシステムからの制御メトリック信号に応答し、前記伝達関数の逆を生成するように前記プログラマブル・スペクトル・フィルタを制御するスペクトル・コントローラと、
を備える、ファイバ増幅システム。
【請求項１８】
請求項１７記載のファイバ増幅システムにおいて、前記増幅チェーンにおける前記光学部品の１つが、スペクトル位相によって生ずる振幅変調を低減するスペクトル位相補償を付与する分散補償ファイバ（ＤＳＦ）である、ファイバ増幅システム。
【請求項１９】
請求項１７記載のファイバ増幅システムにおいて、前記少なくとも１つの光源が、各々異なる波長でシード・ビームを生成する複数の光源であり、前記少なくとも１つのファイバ増幅器が、各々前記シード・ビームの内１つを増幅する複数のファイバ増幅器であり、前記増幅システムが、更に、前記シード・ビームの全てを、前記プログラマブル・スペクトル・フィルタに前記シード・ビームの全てを送る共通のファイバ上に多重化するマルチプレクサと、増幅のために前記増幅器に送られる前に、前記予歪させたシード・ビームの全てを別個のファイバ上に分離するデマルチプレクサとを備え、前記増幅システムが、更に、前記増幅したファイバ・ビームを、前記ビーム・サンプラの前において、１つのビームに結合するＳＢＣ光学系を備える、ファイバ増幅システム。
【請求項２０】
請求項１７記載のファイバ増幅システムであって、更に、偏光状態（ＳＯＰ）アクチュエータと、ＳＯＰ偏光コントローラと、前記検出サブシステムに送られる前記サンプル・ビームの所定の偏光のみを許容する偏光フィルタとを備え、前記検出サブシステムが、前記サンプル・ビームにおける振幅変調の量を識別する変動を排除するローパス・フィルタを含み、前記ローパス・フィルタを通過した信号が、前記ＳＯＰ偏光コントローラに送られ、前記ＳＯＰ偏光コントローラが、前記出力ビームを所望のＳＯＰに維持するために、前記シード・ビームのＳＯＰを変化させるように前記ＳＯＰ偏光アクチュエータを制御する、ファイバ増幅システム。
【発明の詳細な説明】
【技術分野】
【０００１】
[0001]  本開示は、一般的には、周波数変調（ＦＭ）−振幅変調（ＡＭ）変換の能動的低減を行うファイバ・レーザ増幅器に関し、更に特定すれば、プログラマブル・スペクトル・フィルタを使用してシード・ビームに対してスペクトル等化を行うことによって、増幅器におけるＦＭ−ＡＭ変換を低減するファイバ・レーザ増幅器に関する。
【従来技術】
【０００２】
[0002]  高パワー・レーザ増幅器には、産業、商業、軍事等を含む多くの用途がある。レーザ増幅器の設計者は、これらおよび他の用途のためにレーザ増幅器のパワーを高める方法を調査し続けている。知られているレーザ増幅器の一種に、シード・ビームと、このシード・ビームを増幅するポンプ・ビームとを受光するドープ・ファイバ(doped fiber)を採用し、高パワー・レーザ・ビームを生成するファイバ・レーザ増幅器がある。このファイバは約１０〜２０μｍ以上の有効コア直径を有する。ファイバ・レーザ増幅器は、それらの高い効率、高いパワー調整性(scalability)、および優れたビーム品質のために、指向性エネルギ兵器のエネルギ源として有用である。
【０００３】
[0003]  ファイバ・レーザ増幅器の設計を改良したことによって、ファイバの出力パワーが増大し、その実用上のパワーおよびビーム品質の限界に近づいた。ファイバ増幅器の出力パワーを更に高めるために、複数のファイバ・レーザ増幅器を採用し、増幅されたビームを何らかの様式で結合し、更に高いパワーを生成するファイバ・レーザ・システムがある。この種のファイバ・レーザ増幅システムの設計課題は、ビームを小さい焦点に合焦できるように、ビームが１つのビーム出力を供給するようなやり方で、複数のファイバ増幅器からのビームを結合することである。遠く離れた小さなスポットに、結合したビームを合焦する（遠視野）ことにより、ビームの品質を定める。
【０００４】
[0004]  コヒーレント・ビーム結合（ＣＢＣ：coherent beam combining)と呼ばれる１つの知られている多重ビーム増幅器設計では、主発振器（ＭＯ：master oscillator)がシード・ビームを生成し、このシード・ビームを分割して、各々共通波長を有する複数のファイバ・シード・ビームを得て、共通波長において各ファイバ・ビームを増幅する。増幅されたファイバ・シード・ビームは、次に、回折光学素子（ＤＯＥ：diffractive optical element）に誘導され、回折光学素子は、コヒーレント・ファイバ・ビームを結合して(combine)１つの出力ビームを得る。ＤＯＥは、素子自体の中に周期的構造が形成されているので、各々多少異なる角方向を有する個々のファイバ・ビームが周期的構造によって方向転換させられると、これらのビーム全てがＤＯＥから同じ方向に回折する。各ビーム・ビームは位相変調器に供給され、位相変調器は、全てのファイバ・ビームの位相がコヒーレントに維持されるように、ビームの位相を制御する。しかしながら、位相制御帯域幅の限界、および波面誤差のために、コヒーレントに結合することができるファイバ・ビームの数が限られてしまい、このためレーザの出力パワーが頭打ちとなる。
【０００５】
[0005]  スペクトル・ビーム結合（ＳＢＣ：spectral beam combining）と呼ばれる他の知られている多重ファイバ増幅器設計では、複数の主発振器（ＭＯ）が複数の波長において複数のファイバ・シード・ビームを生成し、各ファイバ・シード・ビームを増幅する。次いで、増幅されたファイバ・シード・ビームは、回折格子または他の波長選択素子に導かれ、異なる波長ファイバ・ビームを結合して１つの出力ビームを得る。回折格子は、素子内に形成された周期的構造を有するので、各々多少異なる波長および角方向を有する個々のファイバ・ビームが周期的構造によって方向転換させられると、ビームの全てが回折格子から同じ方向に回折する。しかしながら、スペクトル輝度の限界のために、波長結合することができるファイバ・ビームの数が限られてしまい、このためレーザの出力パワーが頭打ちとなる。
【０００６】
[0006]  これらの限界を克服しレーザ・ビーム・パワーを更に高めるためには、複数の主発振器を設けて、異なる波長においてシード・ビームを生成することができ、個々の波長シード・ビームの各々は、複数の(a number of)ファイバ・シード・ビームに分割され、ファイバ・シード・ビームの各グループは同じ波長を有し、相互にコヒーレントである。それぞれの波長におけるコヒーレント・ファイバ・シード・ビームの各グループは、最初にＤＯＥによってコヒーレントに結合され、次いで、コヒーレントに結合されたビームの各グループは、多少異なる角度でＳＢＣ格子に導かれる。ＳＢＣは、これらのビームを同じ方向に、複数の波長の結合した１つのビームとして回折する。また、ＳＢＣ格子は、異なる波長のビームを結合するための周期的構造も含む。
【０００７】
[0007]  高パワー、単一モード光が増幅されるときまたは長いファイバを通って伝搬するとき、ファイバ・カー非線形のために多くの非線形効果が生じる可能性がある。ファイバ・カー非線形は、ビームの光干渉性またはスペクトル純度を劣化させるように作用する。カー非線形の最も明らかな発現は、典型的には、自己位相変調（ＳＰＭ：self-phase modulation）である。これは、Ｂ−積分、即ち、非線形位相シフトによってパラメータ化され、低レベルの対処しようがない振幅変調（ＡＭ）を位相ノイズに変換することによって、ビーム干渉性を劣化させる可能性がある。この非線形効果は、ＣＢＣの効率またはＳＢＣのビーム品質を圧迫し、したがってレーザ・システムの性能を低下させる可能性がある。具体的には、スペクトル純度の低下、または光干渉性の損失がある。
【０００８】
[0008]  これらの効果を回避または低減するためには、一般に、ファイバ増幅器をシードするシード・ビーム内を伝搬するＡＭの量を抑えることが望ましい。このＡＭは、相対強度ノイズ（ＲＩＮ：relative intensity noise）としても知られている。振幅変調を行わずに周波数変調を行うシード・ビームのスペクトルを広げる技法は、ファイバ増幅器において実現することができ、シード・ビームに周波数変調だけが行われる場合、カー非線形は問題を発生させない。即ち、シード・ビームの時間依存非線形位相シフトは発生しない。しかしながら、これはスペクトル・ビームを広げる結果となり、ＳＢＣの間ビーム品質を低下させる可能性がある。
【０００９】
[0009]  一般に、ビーム結合ファイバ・レーザ兵器システムにおいて、ストレール比によって定められるビーム品質の劣化を１％未満に維持するためには、非線形ＳＰＭ位相変動Ｂ×ＲＩＮを０．１ラジアン未満に維持することが望ましい。Ｂ−積分が１０ラジアンである典型的な１．５〜２ｋＷのファイバ増幅器では、これはＲＩＮ＜１％を維持する必要があることを暗示する。したがって、ＡＭを殆どまたは全く有さないＦＭシード・ビーム源、即ち、一定のパワー対時間の関係を有するものを採用することが、業界の標準的な慣例となっている。しかしながら、ＦＭを対処しようがないＡＭに部分的に変換する多数の効果がなおも観察されており、ＳＰＭによる非線形劣化の原因となる可能性がある。これらの効果には、偏光混合、波長分散、スペクトル・フィルタリング、または一般に、あらゆるマルチパス干渉（ＭＰＩ：multi-path interference）効果が含まれる。ファイバ部品またはファイバ・ベース・システムにおけるＭＰＩ効果の典型的な痕跡(signature)は、周期的な変調パターンを呈するスペクトル依存透過である。
【発明の概要】
【発明が解決しようとする課題】
【００１０】
[0010]  スペクトル変調の自由スペクトル範囲（ＦＳＲ）よりも著しく小さいＦＭ線幅では、ＦＭ−ＡＭ変換の大きさ(magnitude)はシード・ビームおよびスペクトル透過ピークの相対波長に依存して大きく変動する可能性があることは、当技術分野では周知である。ファイバにおけるＦＭ−ＡＭ変換は、ビーム波長が透過スペクトルのピークまたはヌルと整列するときに最小となり、ビーム波長がピークとヌルとの間にあるときに最大となる。これは、ＦＭ信号の瞬時周波数が時間と共に変化しており、したがってその透過振幅が時間と共に変化し、時変出力パワー、即ち、ＡＭを引き起こすからである。ＦＭ−ＡＭ変換は、ビーム帯域幅にわたるスペクトル透過ができるだけ均一なときに、最も少なくなる。これが起こるのは透過ピークまたはヌルの近くである。したがって、非線形スペクトル透過を呈する部品が存在しても、ＦＭ−ＡＭ変換を最小限にしてＦＭ光を増幅し、低ノイズ出力を生成するファイバ振幅器のアーキテクチャが求められている。
【図面の簡単な説明】
【００１１】
【図１】図１は、能動制御を使用してＦＭ−ＡＭ変換を低減するファイバ・レーザ増幅システムの模式ブロック図である。
【図２】図２は、能動偏光制御を使用してＦＭ−ＡＭ変換を低減するファイバ・レーザ増幅システムの模式ブロック図である。
【図３】図３は、能動偏光制御を使用してＦＭ−ＡＭ変換を低減し、シード・ビームＳＯＰ制御を行う(provide)ファイバ・レーザ増幅システムの模式ブロック図である。
【図４】図４は、能動温度制御を使用してＦＭ−ＡＭ変換を低減するファイバ・レーザ増幅システムの模式ブロック図である。
【図５】図５は、能動温度制御を使用してＦＭ−ＡＭ変換を低減し、シード・ビームＳＯＰ制御を行うファイバ・レーザ増幅システムの模式ブロック図である。
【図６】図６は、複数の光学部品に対して能動制御を使用してＦＭ−ＡＭ変換を低減するファイバ・レーザ増幅システムの模式ブロック図である。
【図７】図７は、増幅システムを伝搬するシード・ビームのスペクトル透過を平坦化または等化するプログラマブル・スペクトル・フィルタを使用してＦＭ−ＡＭ変換を低減するファイバ・レーザ増幅システムの模式ブロック図である。
【図８】図８は、増幅システムを伝搬するシード・ビームのスペクトル透過を平坦化または等化するプログラマブル・スペクトル・フィルタを使用してＦＭ−ＡＭ変換を低減し、シード・ビームＳＯＰ制御を行うファイバ・レーザ増幅システムの模式ブロック図である。
【図９】図９は、増幅システムを伝搬するシード・ビームのスペクトル透過を平坦化または等化するプログラマブル・スペクトル・フィルタを使用してＦＭ−ＡＭ変換を低減し、シード・ビームの入力および出力パワー・スペクトルを測定する光スペクトル・アナライザを採用する、ファイバ・レーザ増幅システムの模式ブロック図である。
【図１０】図１０は、増幅システムを伝搬するシード・ビームのスペクトル透過を平坦化または等化するプログラマブル・スペクトル・フィルタを使用してＦＭ−ＡＭ変換を低減し、分散補償ファイバを含む、ファイバ・レーザ増幅システムの模式ブロック図である。
【図１１】図１１は、増幅システムを伝搬するシード・ビームのスペクトル透過を平坦化または等化するプログラマブル・スペクトル・フィルタを使用してＦＭ−ＡＭ変換を低減し、ＳＢＣを採用する、ファイバ・レーザ増幅システムの模式ブロック図である。
【発明を実施するための形態】
【００１２】
[0022]  本開示の実施形態についての以下の論述は、ＦＭ−ＡＭ変換を能動的に低減するために種々の技法を採用するファイバ・レーザ増幅システムを対象とするが、本質的に例示に過ぎず、本開示あるいはその用途または使用を限定することは全く意図していない。
【００１３】
[0023]  以下で詳しく論ずるが、本開示は、システムにおける特定のパラメータを能動的に制御することによって、ファイバ・レーザ増幅システムにおいてＦＭ−ＡＭ変換を低減するための種々の技法を提案する。これらの技法は、大まかに２種類に分けることができる。第１の種類は、１つ以上の増幅素子によって生ずるスペクトル透過のピークまたはヌルを、シード・ビームの中心周波数と整列させる(co-align)処理を含む。１〜２ｋＷファイバ増幅器のＦＭ線幅は、通例、２０〜３０ＧＨｚであり、ファイバにおける誘導ブリュアン散乱の閾値未満に留まるという要件によって決定される。これは、種々の増幅素子において１００ＧＨｚ程度までの典型的な測定ＦＳＲと比較すると小さい。したがって、シード・ビームの中心波長を透過スペクトルのピークまたはヌルと整列させる(co-alignment)ことにより、ＦＭ−ＡＭ変換を最小に抑え、非線形ＳＰＭノイズによる障害を抑えた低ノイズＦＭファイバ増幅器が得られる。例えば、典型的なファイバ増幅システム内にある部品のスペクトル透過は偏光に依存するまたは温度に依存する可能性があるので、シード・ビームの偏光状態（ＳＯＰ：seed beam state of polarization）または部品温度を手作業で調節することによって、増幅出力ビーム上のＲＩＮを劇的に低減することができる。
【００１４】
[0024]  第２の種類は、ＦＭ−ＡＭ変換を誘発する(initiate)スペクトル振幅および位相歪みを補償するためにプログラマブル・スペクトル・フィルタを採用することによってというようにして、シード・ビームのスペクトル等化を行う処理を含む。スペクトル振幅の歪みに対して、ファイバ増幅システム全体にわたる正味スペクトル透過プロファイルを平坦化するように、スペクトル・フィルタをプログラミングする。スペクトル位相の歪みに対して、ファイバ群速度分散（ＧＶＤ：fiber group velocity dispersion）あるいは増幅または成分透過スペクトルから生ずる他の分散効果を補償するように、スペクトル・フィルタをプログラミングする。静止スペクトル位相の補正のために、スペクトル・フィルタは、１本の分散補償ファイバも備えることもできる。この分散補償ファイバは、補償に必要なストローク(stroke)を減らす場合または精度を高める場合、動的スペクトル・フィルタと直列にして使用される。
【００１５】
[0025]  ファイバ・レーザ増幅システムにおいてＦＭ−ＡＭ変換を低減するためのこれらの種類の技法は双方共、図１に示すファイバ・レーザ増幅システム１０によって全体的に示すことができる。システム１０は、特定の波長を有するシード・ビームをファイバ１４上で生成する主発振器（ＭＯ）１２を含む。シード・ビームはＲＦ光電変調器（ＥＯＭ：electro-optical modulator）１６に供給され、ＲＦ光電変調器１６は、周波数変調拡大(frequency modulation broadening)を行うために、白色ノイズまたは擬似ランダム・ビット・シーケンス（ＰＲＢＳ：pseudo-random bit sequence）のような、シード・ビームを周波数変調するためのＲＦ信号を受信する。尚、ＥＯＭ１６は、システム１０において、シード・ビームが増幅される前の任意の適した位置に配置できることを注記しておく。次いで、広げられたシード・ビームはアクチュエータ１８に送られ、アクチュエータ１８は、本明細書において論じられるようにＦＭ−ＡＭ変換を低減するために、シード・ビームの位相、偏光等というような、シード・ビームの何らかの側面(aspect)またはパラメータを制御する。次いで、作用を受けたシード・ビームは増幅器または光学部品２０に送られる。増幅器または光学部品２０は、システム１０内に存在することができる複数の光学部品の内、個々の用途に応じて特定の光機能を果たし、先に論じたようにＳＰＭを通じてシード・ビームにおける周波数変調を振幅変調に変換させるおそれがある任意のものを表すことを意図している。光学部品２０の適した例には、ポンプ・ビーム・コンバイナ(pump beam combiner)、光スプライス、光アイソレータ、スペクトル・フィルタ、１本の光ファイバ、前置増幅段、モード・フィールド・アダプタ(mode field adapter)等が含まれるが、これらに限定されるのではない。尚、これらの部品２０の内様々なものを採用できることを注記しておく。
【００１６】
[0026]  次いで、シード・ビームを増幅し、増幅出力ビーム２６を供給するために、非線形ファイバ増幅器２２に、シード・ビームを送る。 非線形ファイバ増幅器２２は、複数のファイバ増幅段であってもよく、各ファイバ増幅段が、 ポンプ・ビーム源と、イッテルビウム（Ｙｂ）がドープされ１０〜２０μｍのコアを有する、１本のファイバのような、１本のドープ・ファイバとを含む。次いで、ビーム・スプリッタ３０を介して出力ビーム２６を送り、ビーム・スプリッタ３０は、出力ビーム２６の小さいサンプル部分をサンプル・ビーム３２として分割する。サンプル・ビーム３２は検出器３４に送られ、検出器３４は、増幅されたビーム２６においてＡＭを識別する特定の被監視パラメータの量または大きさ(magnitude)を判定する。検出器３４は、制御メトリックを生成して、これをコントローラ３６に送る。コントローラ３６は、このパラメータを調節するようにアクチュエータ１８を制御し、こうして制御メトリックを最適化し、ＦＭ−ＡＭ変換を排除または低減する。
【００１７】
[0027]  図２は、ＦＭ−ＡＭ変換を低減する第１の種類の技法についての一実施形態として、シード・ビームの偏光制御を採用するファイバ・レーザ増幅システム４０の模式ブロック図である。このシステムは、部品２０によって生じるスペクトル透過のピークまたはヌルをシード・ビームの中心波長と整列させる(co-align)。システム１０と同様の要素は、同じ参照番号によって識別される。増幅システム４０において、アクチュエータ１８が偏光アクチュエータ４２と置き換えられている。更に具体的には、サンプル・ビーム３２は特定のＳＯＰに対して偏光濾波されていないが、サンプル・ビーム３２における未偏光光が検出され、部品２０によって生じる不均一なスペクトル透過が振幅変調を発生することがないように、シード・ビームの偏光を調節するために使用される。
【００１８】
[0028]  この実施形態では、サンプル・ビーム３２は高速光検出器４４によって検出され、高速光検出器４４は、時変電気ＡＣ信号を有する光電流を生成する。このＡＣ信号は、サンプル・ビーム３２上において振幅変調によって生ずる光パワー変動に比例し、サンプル・ビーム３２の光パワーに比例するＤＣオフセットを有する。光電流は、ＤＣオフセットを除去するために、ハイパス・フィルタ４６によって濾波される。フィルタ４６は、光検出器４４の検出帯域幅より低く所望のフィードバック制御ループ・レートよりも高いカットオフ周波数を有する。ＡＣ信号は、フィルタ４６を通され、整流器４８によって整流されて、信号の負部が正部に変換される。整流された信号は、ローパス・フィルタ５２によって濾波および時間平均され、制御メトリック信号を供給する。制御メトリック信号は、偏光コントローラ５０に供給されるサンプル・ビーム３２における振幅変調またはＲＩＮパワーに比例する。ローパス・フィルタ５２は、所望のフィードバック制御ループ・レートよりは高いが、制御メトリック信号が安定したフィードバック制御を可能にするには相応しい信号対ノイズ比を得る(provide)のに十分小さいカットオフ周波数を有する。偏光コントローラ５０は、制御メトリック信号の大きさおよび動力学(dynamics)に依存する制御信号を偏光アクチュエータ４２に供給する。制御メトリック信号は、部品２０によって生じるスペクトル透過のピークまたはヌルをシード・ビームの中心波長と整列させるようにシフトさせるために、シード・ビームの偏光を変化させる、または調節する。言い換えると、シード・ビームの偏光を変化させることによって、光学部品２０によって生ずるシード・ビームのスペクトル透過がずらされ、振幅変調の大きさを監視することによって、振幅変調を最小限に抑えるために最適な偏光をシード・ビームに付与する(provide)ことができる。
【００１９】
[0029]  システム４０は、低ノイズのＦＭ増幅出力レーザ・ビームを生成する。しかしながら、対処しようがないファイバ部品の複屈折に基づいて、出力ビーム２６が不確定に偏光される。偏光の影響を受けない(polarization-independent)結合格子を使用するＳＢＣに基づくビーム結合レーザ・アーキテクチャのような、偏光シード・ビームを必要としない用途には、これは容認可能である。しかしながら、レーザ・システム４０は、ＣＢＣに基づくビーム結合レーザ兵器アーキテクチャ、または偏光依存格子を使用するＳＢＣに基づくビーム結合レーザ兵器アーキテクチャのような、偏光シード・ビームを必要とする用途には、有用でない場合もある。
【００２０】
[0030]  図３は、先に論じたようにＦＭ−ＡＭ変換を低減するための偏光制御を行い(provide)、更に特定の偏光状態に偏光された出力ビーム５８を生成するためにシード・ビームの偏光制御も行うファイバ・レーザ増幅システム６０の模式ブロック図である。システム４０と同様の要素は、同じ参照番号によって識別される。システム６０は、シード・ビームのＳＯＰを個々の用途に望まれる偏光状態に調節する偏光アクチュエータ６２を含む。これは、システム４０において偏光アクチュエータ４２によって行われる偏光制御と同じではない。システム４０において偏光アクチュエータ４２によって行われる偏光制御では、部品２０によって生じる透過スペクトルにおけるピークおよびヌルをシード・ビームの中心周波数と整列させるようにシード・ビームの偏光を変化させる。サンプル・ビーム３２は、偏光フィルタ６４によって濾波され、偏光フィルタ６４は、所望の偏光状態にあるサンプル・ビーム３２の光パワーを透過させる。偏光フィルタを通過したサンプル・ビームは、高速光検出器４４によって検出され、高速光検出器４４は、時変電気ＡＣ信号を有する光電流を生成する。このＡＣ信号は、振幅変調によってサンプル・ビーム３２上に生じる光パワー変動に比例し、所望の偏光状態にあるサンプル・ビーム３２の光パワーに比例するＤＣオフセットを有する。出力ビーム５８のＳＯＰは、電気信号を光検出器４４からローパス・フィルタ６６に供給することによって制御され、ローパス・フィルタ６６は、周波数変動を排除する(filter out)ので、所望の偏光を有するサンプル・ビーム３２の大きさを識別するＤＣオフセットが残る。フィルタを通過した信号は偏光コントローラ６８に供給され、偏光コントローラ６８は、シード・ビームの偏光を調節して、偏光フィルタ６４によって供給されるパワー量を最大化するように、偏光アクチュエータ６２を制御する。ローパス・フィルタ６６のカットオフ周波数は、偏光制御ループの所望のループ・レート、例えば、１〜１００ｋＨｚに基づいて選択され、ハイパス・フィルタ４６のカットオフ周波数は、ローパス・フィルタ６６のカットオフ周波数よりも高いが、光検出器４４の帯域幅よりも低くなるように選択される。
【００２１】
[0031]  偏光アクチュエータ６２はシード・ビームの偏光を所望のＳＯＰに制御するので、光学部品２０によって生ずる透過スペクトルのピークおよびヌルの位置も変化させ、これによって、部品２０が行う(create)振幅変調の量を増大または減少させることができる。システム６０において、シード・ビームのスペクトル透過においてシフトを生じさせるように、偏光アクチュエータ４２を部品２０の下流側に移動させる。前述のように、ＦＭ−ＡＭ変換を低減させるための偏光制御の制御帯域幅またはサンプリング周波数は、出力ＳＯＰが所望の偏光に固定され続けることを確保するために、出力ビーム偏光制御の制御帯域幅よりもはるかに遅く選択される。この実施形態では、部品２０の下流側に偏光アクチュエータ４２を移動させることが可能であり、それでもなお効果的にＦＭ−ＡＭ変換を低減することができる。何故なら、偏光アクチュエータ６２は、出力ＳＯＰを維持するために、偏光アクチュエータ４２によって行われる偏光における変化に応答するからである。偏光アクチュエータ６２は、偏光アクチュエータ４２によって生じる変化に応答してシード・ビームの偏光を変化させるので、シード・ビームの偏光は、事実上、光学系におけるアクチュエータ６２とアクチュエータ４２との間における位置でのみ、偏光アクチュエータ４２によって変化させられる。即ち、ＳＯＰは他の全ての位置では一定となる。
【００２２】
[0032]  図４は、ＦＭ−ＡＭ変換を低減するために、部品２０によって生ずる透過スペクトルのピークまたはヌルをシード・ビームの中心周波数と整列させる(co-align)第１の種類の技法の他の実施形態として、能動温度制御を採用するファイバ・レーザ増幅システム７０の模式ブロック図である。システム４０と同様の要素は、同じ参照番号によって識別される。サンプル・ビーム３２におけるＡＭパワーに比例する制御メトリック信号を、温度コントローラ７２に供給する。温度コントローラ７２は、ヒータ／クーラ・デバイス７４の温度を制御する。ヒータ／クーラ・デバイス７４は、光学部品２０に結合され、その温度を変化させるように動作する。この実施形態では、デバイス７４はアクチュエータ１８である。したがって、ローパス・フィルタ５２からの制御メトリック信号の大きさに応じて、温度コントローラ７２は、部品２０の温度を上昇または低下させ、これによって、ピークまたはヌルがシード・ビームの中心周波数と整列するようにそのスペクトル透過をシフトさせる。
【００２３】
[0033]  図５は、先に論じたように、ＦＭ−ＡＭ変換を低減するために光学部品２０の温度制御を行い、更に所望の偏光状態に偏光された偏光出力ビーム５８を供給する、ファイバ・レーザ増幅システム８０の模式ブロック図である。システム６０および７０と同様の要素は、同じ参照番号によって識別される。ＦＭ−ＡＭ変換を補正するために、システム７０によって使用される同じプロセスを、光学部品２０の温度を制御するために採用する。部品２０の温度を変化させると、その複屈折も変化させることができるが、これらの変化は非常に遅いので、典型的な１００Ｈｚ以上の帯域幅を有する偏光コントローラ６８には熱の増減がない(adiabatic)ように見え、増幅された出力ビーム５８が低いＲＩＮを有し同時に適正に偏光されるように、動的に補償することができる。したがって、偏光アクチュエータ６２は、シード・ビームの偏光状態を所望の偏光に変化させるように素早く動作することができ、温度コントローラ７２によって行われるＦＭ−ＡＭ変換の補正は、もっと遅く動作することができる。
【００２４】
[0034]  部品２０によって生ずるスペクトル透過のピークまたはヌルをシード・ビームの中心周波数と整列させる(co-align)ことによって、ＦＭ−ＡＭ変換を低減するための第１の種類の技法に関する以上の論述は、偏光制御または温度制御を行うことに特化した。しかしながら、これらは、部品２０のスペクトル透過のピークおよびヌルをシード・ビームの中心周波数と整列させるのに適した技法の例に過ぎず、他の技法も同様に適用可能であるのはもっともであることを注記しておく。例えば、光学部品２０上の機械的応力を制御してその複屈折を変化させることが可能であり、更に、部品２０の不均一なスペクトル透過をシフトさせて、シード・ビームの中心波長と整列させるように動作することもできると考えられる。この実施形態では、デバイス７４は、機械的応力を光学部品２０およびコントローラ７２に加えるデバイスであり、コントローラ７２は応力コントローラである。
【００２５】
[0035]  注記したように、ファイバ・レーザ増幅システム内にある複数の部品が発生させるＡＭによって、不均一なスペクトル透過が生ずる可能性がある。したがって、増幅チェーン内にある種々の部品の内複数個または全てに対してＡＭ低減制御を行うことが望ましいのはもっともである。この実施形態は、図６において、ファイバ・レーザ増幅システム９０によって示され、システム８０と同様の要素は、同じ参照番号によって識別される。システム９０は、偏光アクチュエータ６２とファイバ増幅器２２との間に位置付けられた複数の光学部品２０を含み、各光学部品２０は、先に論じたような、温度アクチュエータ、偏光アクチュエータ、応力アクチュエータ等のような、何らかの種類の作動デバイス９２を含む。複数の部品を同時に制御してＦＭ−ＡＭ変換を最小限に抑えるために、多値ディザ制御方式、例えば、確率的並列勾配降下法（ＳＰＧＤ：stochastic parallel gradient descent）アルゴリズムを採用することができる。このようなコントローラは、マルチチャネル・コントローラ９４によって例示されている。マルチチャネル・コントローラ９４は、アクチュエータ９２の各々を制御して、部品２０の各々によって生じるスペクトル透過を独立してシフトさせ、ピークまたはヌルをシード・ビームの中心波長と整列させる。
【００２６】
[0036]  スペクトル等化を行うことによってＦＭ−ＡＭ変換を低減する、先に引用した第２の種類の技法は、第１の種類の技法よりも直接的な技法であり、プログラマブル・スペクトル・フィルタをシステム１０におけるアクチュエータ１８として使用する。このフィルタは、ファイバ増幅システム１０を伝搬するシード・ビームの正味スペクトル透過プロファイルを平坦化または等化するように動作する。このプログラマブル・スペクトル・フィルタがない場合に、ＭＯ１２からファイバ増幅器２２までの全ての光学部品を通過するシード・ビームのスペクトル透過が、初期状態において伝達関数Ｔ１（λ）である場合、逆伝達関数Ｔ２（λ）＝１／Ｔ１（λ）を生成するようにプログラミングされたスペクトル・フィルタを使用することによって、シード・ビームがシステム１０を伝搬した後における正味スペクトル透過は、Ｔ１（λ）Ｔ２（λ）＝１となり、低ノイズの出力ビームを生ずるはずである。一般に、伝達関数Ｔ１（λ）およびＴ２（λ）は双方共複素値関数とすることができる。即ち、スペクトル振幅および位相の双方を不均一にすることができる。つまり、ファイバ増幅システム１０の伝達関数の逆によってシード・ビームを予め歪ませるので、シード・ビームの不均一スペクトル透過は、システム１０を伝搬するときに、その伝達関数をその元の伝達関数(transfer function)に変化させるので、振幅変調を含まない。この手法は、主に、複数の発生源から生ずるＦＭ−ＡＭ変換を補償することができるので、第１の種類の技法と比べて利点がある。言い換えると、この技法は、スペクトル透過に対する任意の障害(impairment)を補正することができ、周期的なスペクトル透過プロファイルに限定されない。
【００２７】
[0037]  図７は、シード・ビームのスペクトル等化制御を採用するファイバ・レーザ増幅システム１００の模式ブロック図であり、ＦＭ−ＡＭ変換を低減するための第２の種類の技法についてこの実施形態を概略的に示す。システム４０と同様の要素は、同じ参照番号によって識別される。この実施形態では、偏光アクチュエータ４２は、プログラマブル・スペクトル・フィルタ１０２と置き換えられている。プログラマブル・スペクトル・フィルタ１０２は、シード・ビームがファイバ増幅器２２に送られる前に、増幅チェーンにおける部品によって付与されるスペクトル歪みの逆として、シード・ビームの予歪(pre-distortion)を行う。この実施形態では、システム１００は、先に論じたような方法で、光検出器４４、ハイパス・フィルタ４６、整流器４８、およびローパス・フィルタ５２を使用して、不均一スペクトル透過を識別するサンプル・ビーム３２におけるＡＭパワーに比例する制御メトリック信号を生成する。コントローラ１０４は、ローパス・フィルタ５２から制御メトリック信号を受け取り、メトリック信号をゼロに駆動する所望の逆伝達関数を形成し(provide)、したがってＦＭ−ＡＭ変換を低減するようにスペクトル・フィルタ１０２を制御する。
【００２８】
[0038]  先に論じたように、ファイバ・レーザ増幅システムが特定の用途のために偏光出力ビーム５８を供給する必要がある場合、先に論じたのと同じ方法で偏光制御を設けることができる。この実施形態は、図８においては、ファイバ・レーザ増幅システム１０６として示されており、システム６０および１００と同様の要素は、同じ参照番号によって識別される。
【００２９】
[0039]  以上の論述では、ＡＭを最小限に抑えるスペクトル形状を得るために先進のアルゴリズムを使用して、スペクトル・フィルタ１０２に対してフィードバック制御を行う。シード・ビームの中心波長周囲におけるスペクトル透過のテイラー展開に関連する１つ以上のパラメータを調節することに基づくと、もっと簡単な手法であれば、単純な多値可変コントローラ(multi-variable controller)を伴うだけで済む。例えば、波長と共に線形に変化するスペクトル透過をシード・ビームに重ね合わせる(impose)こともでき、この場合、制御パラメータは、最低次のスペクトル不均一性を大きく補償する役割を果たすスペクトル透過曲線の傾斜となる。また、二次的に変化するスペクトル透過または更に高次の項を補償するためのパラメータも含ませることができる。通例、対象となる最低次項のスペクトル位相は、群速度分散（ＧＶＤ）に対応する二次方程式になる。何故なら、線形に変化するスペクトル位相は、単に一定の時間遅延に対応するに過ぎず、ＦＭ−ＡＭ変換に影響を及ぼさないからである。
【００３０】
[0040]  第２の種類の技法の代替実施形態では、検出器３４は、分光計または光スペクトル・アナライザのような、スペクトル検出器とすることもできる。このスペクトル検出器は、サンプル・ビーム３２の出力パワー・スペクトルＳｏｕｔ（λ）、およびシード・ビームがプログラマブル・スペクトル・フィルタ１０２に送られる前の入力パワー・スペクトルＳｉｎ（λ）の双方の測定値を提示する。この実施形態は、図９において、ファイバ・レーザ増幅システム１１０として示されている。システム１００と同様の要素は、同じ参照番号によって識別される。システム１１０は、スイッチ１１２を含む。スイッチ１１２は、出力パワー・スペクトルＳｏｕｔ（λ）を有するサンプル・ビーム３２と、入力パワー・スペクトルＳｉｎ（λ）を有するＥＯＭ１６からのシード・ビームとを受け取る。スイッチ１１２は、入力および出力パワー・スペクトルの間で所望のサンプリング・レートで双方向に切り替え、光スペクトル・アナライザ１４は、これらのパワー・スペクトルの大きさを交互に測定する。コントローラ１１６は、測定されたパワー・スペクトルの大きさを受け取り、正味システム伝達関数Ｔ１（λ）＝Ｓｏｕｔ（λ）／Ｓｉｎ（λ）を計算し、逆伝達関数Ｔ２（λ）＝１／Ｔ１（λ）をシード・ビームに適用するように、プログラマブル・スペクトル・フィルタ１０２を制御する。代替実施形態では、２つの光スペクトル・アナライザを採用することができ、各アナライザがこれらのパワー・スペクトルの内１つを測定する。他の代替実施形態では、入力パワー・スペクトルＳｉｎ（λ）が時間的に一定である状況において、入力パワー・スペクトルをコントローラ１０４のメモリに格納することができ、１つの光スペクトル・アナライザを使用して、出力パワー・スペクトルＳｏｕｔ（λ）だけを動的に測定する。閉ループ構成において動的不安定性を回避するために、コントローラ１１６は、通例、繰り返しにおける各ループにおいて、伝達関数Ｔ（λ）に小さな補正を適用するようにプログラミングされる。例えば、閉ループのｎ回目の繰り返しでは、
【数１】
2021520076.tif 000003
ここで、ｎはｎ回目のループの繰り返しを示し、ｇ＜１は安定性およびループ集束速度の均衡を取るために設定される利得係数、即ち、動的制御帯域幅であり、ＫはＴ２を最大化するように設定された正規化定数である。
【００３１】
[0041]  尚、システム１１０における光スペクトル・アナライザ１１４の使用は、入力パワーおよび出力パワーのスペクトル振幅を測定することができるだけであり、ＦＭ−ＡＭ変換の補償をスペクトル位相に付与することはできないことを注記しておく。しかしながら、通例これらの種類のシステムでは、スペクトル位相は時変ではなく、したがって固定である。ファイバ分散は、通例、一回較正測定(one-time calibration measurement)によって補償することができる。何故なら、ファイバ・レーザ増幅システムの通常使用の間では、ファイバ分散が動的に変化することは予期されないからである。つまり、ＦＭ−ＡＭ変換を低減する能動制御は、全てのシステム・パラメータに要求される訳ではない。
【００３２】
[0042]  ファイバ分散を補償するため、そしてスペクトル位相補正を行うために、発散補償ファイバ（ＤＣＦ：dispersion compensating fiber）を増幅チェーンにおいてファイバ増幅器２２の前に使用すると、静止ＧＶＤに対処し、能動制御に必要なスペクトル位相補正量を減らすことができ、即ち、スペクトル位相制御を行うことができる。この実施形態は、図１０においてファイバ・レーザ増幅システム１２０として示されている。システム１０および１００と同様の構成要素は、同じ参照番号によって識別される。システム１２０において、スペクトル位相補正を行うＤＣＦ１２２がプログラマブル・スペクトル・フィルタ１０２の前に設けられる。図示のようにＤＣＦ１２２を設けることによって、スペクトル・アナライザ１１４によって得ることができなかった、スペクトル位相に対する静止補償が得られることによって、システム１１０に有利になる(benefit)だけでなく、ＦＭ−ＡＭ変換に対するスペクトル位相補正の殆どをＤＦＣ１２２に任せることによっても、システム１００に有利になる。ここで、追加のスペクトル位相補正はコントローラ１１６によって行われる。
【００３３】
[0043]  先に論じたように、レーザ増幅システムには、マルチチャネルまたはＳＢＣアーキテクチャを採用するものがある。ＦＭ−ＡＭ変換を低減するためのプログラマブル・スペクトル・フィルタの使用は、特にこれらの種類のＳＢＣアーキテクチャに適用することができる。何故なら、１つのプログラマブル・スペクトル・フィルタで、多くのスペクトル・ビーム結合ファイバ増幅器全体に対して、ＦＭ−ＡＭ変換補償を行うことができるからである。これは、ファイバ当たりのパワーを高め、長距離ファイバ配線(long delivery fiber cabling)を可能にするだけでなく、１つの変調チャネルによって全てのシード・ビーム波長の多重化を可能にすることによって、光電変調器および高周波ＲＦ駆動電子部品のような、高価な部品を不要にする。
【００３４】
[0044]  この実施形態は、図１１において、ファイバ・レーザ増幅システム１３０によって例示され、システム１００と同様の要素は同じ参照番号によって識別される。システム１３０は、複数の主発振器１２を含み、各主発振器１２は異なる波長λにおいてシード・ビームを生成する。シード・ビームの全てが波長分割マルチプレクサ１３２に供給され、波長分割マルチプレクサ１３２は、これらのビームを１本のファイバ１３４に結合する。一旦シード・ビームの全てが同じファイバ上にあり、ＥＯＭ１６によって周波数変調されたなら、プログラマブル・スペクトル・フィルタ１０２は、先に論じた方法でスペクトル・フィルタリングを行い、伝搬する異なる波長のシード・ビームの全てを、逆伝達関数によって、予歪させる(pre-distort)。一旦シード・ビームの全てが予歪されたなら、これらは波長分割デマルチプレクサ１３６に送られ、波長分割デマルチプレクサ１３６は、予歪された異なる波長のシード・ビームを別個のファイバ上に分離し、別個のファイバ増幅器２２に送る。一旦個々のビームがそれらのそれぞれの波長で増幅されたなら、これらはＳＢＣ光学素子１３８によって結合され、高パワー出力ビーム１４０を生成する。ＥＯＭ１６からの入力パワー・スペクトル、およびサンプル・ビーム３２からの出力パワー・スペクトルは、光スペクトル・アナライザ１１４によって交互に測定され、コントローラ１１６がプログラマブル・スペクトル・フィルタ１０２を制御することができるように、コントローラ１１６は先に論じた方法で正味システム伝達関数を計算する。尚、スペクトル・アナライザは、先に論じたように、光検出器４４、ハイパス・フィルタ４６、整流器４８、およびローパス・フィルタ５２を採用する、検出実施形態で置換できることを注記しておく。
【００３５】
[0045]  以上の論述は、本開示の例示的な実施形態を開示および説明するに過ぎない。このような論述から、そして添付図面および請求項から、種々の変更、修正、および変形も、以下の特許請求の範囲に定められる本開示の主旨および範囲から逸脱することなく、行えることは、当業者には容易に認められよう。
【図１】
2021520076.tif 000004
【図２】
2021520076.tif 000005
【図３】
2021520076.tif 000006
【図４】
2021520076.tif 000007
【図５】
2021520076.tif 000008
【図６】
2021520076.tif 000009
【図７】
2021520076.tif 000010
【図８】
2021520076.tif 000011
【図９】
2021520076.tif 000012
【図１０】
2021520076.tif 000013
【図１１】
2021520076.tif 000014
【国際調査報告】
2021520076.tif 000015
2021520076.tif 000016
2021520076.tif 000017